(57)【要約】【課題】  液晶ＴＶ等のインジケータに表示されている文字や図形を押圧操作することで、ボリュームの音量操作やチャンネル等の切り替え操作を行なうことができ、機器筐体の前面や側面にボリュームやチャンネル等を操作するためのつまみ等を不要にした表示操作装置及び薄型映像表示装置を得る。【解決手段】  透明なインジケータパネル１０の表面に感圧シート１２からなるインジケータ操作入力部４が貼付けられ、インジケータ操作入力部４にはボリューム操作入力部７やチャンネル操作入力部8等の文字や図形が表示され、インジケータ操作入力部４は光源１１からの光がインジケータパネル１０を透過し文字や図形が照光されている。そして、所定のインジケータ操作入力部４の押圧操作により感圧シート１２からの信号が制御部に出力され、インジケータ操作入力部４の切替え操作が行われるようにした。【選択図】      図３
2005267897.tif 000002
【特許請求の範囲】
【請求項１】
表示画面の外周の少なくとも一部に設けられた透明部材からなるインジケータパネルと、
上記インジケータパネルの表面に貼付けられた透明な感圧シートからなるインジケータ操作部と、
上記インジケータ操作部に対応して文字や図形表示されたインジケータ表示部と、
上記インジケータパネルを透過し上記インジケータ表示部を照光する光源と
から構成し、上記インジケータ操作部の所定部位を押圧することで、当該部位の電位が検出され制御部に信号出力されて上記インジケータ表示部の切り替え操作が行われることを特徴とする表示操作装置。
【請求項２】
上記インジケータ表示部に蛍光塗料を施したことを特徴とする請求項１に記載の表示操作装置。
【請求項３】
上記蛍光塗料は、複数の色からなることを特徴とする請求項２に記載の表示操作装置。
【請求項４】
上記光源は、紫外線発光ダイオードであることを特徴とする請求項１に記載の表示操作装置。
【請求項５】
上記光源は、周囲の明暗に応じて自動的にオン/オフ動作することを特徴とする請求項１に記載の表示操作装置。
【請求項６】
薄型テレビジョンに適用されることを特徴とする請求項１〜請求項５のいずれかに記載の表示操作装置。
【請求項７】
映像表示装置と、映像表示画面の外周の少なくとも一部に設けられた透明なパネル部材に光源からの光により文字や図形からなる表示部が照光表示されるインジケータとを有し、
上記インジケータの表面に貼付けられて上記映像表示装置の制御部と接続される感圧シートからなるインジケータ操作部を備え、
上記インジケータ操作部の所定部位を押圧することで、当該部位の電位が検出され制御部に信号出力されて上記表示部の切り替え操作が行われることを特徴とする薄型映像表示装置。
【発明の詳細な説明】
【技術分野】
【０００１】
本発明は、液晶ＴＶやプラズマＴＶ等の薄型映像表示装置の透明な前面パネル部分に設けられている例えば、ボリュームの音量状態やチャンネルナンバー等が表示されるインジケータに係り、このインジケータそれ自体を押圧操作することでボリュームの音量やチャンネルナンバー等の切り替え操作が行えるようにした表示操作装置及び薄型映像表示装置に関する。
【背景技術】
【０００２】
近年、液晶ＴＶやプラズマＴＶ等のような高画質、大画面の薄型映像機器が広く普及してきている。このような映像機器では、機器前面の一部に素通して見える透明なフレーム部分に例えば、電源（パワー）やタイマー、ボリューム、チャンネル等の文字や図形あるいは記号が明視表示されて映像機器の使用状態が認識できるようにしたインジケータを備えるようにしたものがある。
【０００３】
上述したインジケータの明視表示の機構としては、透明なフレームの側面に発光ダイオード（ＬＥＤ）等の光源を配置し、この光源からの光を透明なフレーム内を透過させると共に、フレームに加工した斜面を反射拡散させた光によってインジケータを照明するようにしたものである。
【０００４】
しかし、上述したインジケータは、映像機器の使用状態が明視表示されて認識できるようにしたものであって、インジケータの電源やチャンネル等の各々の文字や図形部分に指を触れても切り替え動作を行うことはできない。
【０００５】
一方、電子器機等においてパネル面の表示部が照光されていて、この表示部を押圧することにより電気的に切り替え動作を行うことができるようにした照光式のスイッチ装置が一般に広く知られている。（例えば、特許文献１及び特許文献２参照）。
【０００６】
上述したこれらの照光式のスイッチ装置は、可撓性を有する凸面状のボタン部を押圧操作することによって、可動接点が固定接点に電気的に接触され、スイッチング操作が行なわれるものである。
【特許文献１】特開平７−２８２６７７号公報
【特許文献２】特開２００３−２１７３７９号公報
【発明の開示】
【発明が解決しようとする課題】
【０００７】
しかし、インジケータとは別に電源やチャンネル等を操作するための入出力スイッチやつまみ等が機器筐体の例えば前面や側面に配置されていると、映像機器の外観上のデザインが損なわれるといった問題があった。
【０００８】
また、光源からの光を透明なフレーム内を透過させてフレームに加工した斜面を反射拡散させた光によってインジケータを照明する方式は、光軸からずれた位置からでは明るく見えず、その指向性に問題があった。
【０００９】
本発明は、上述したような課題を解消するためになされたもので、インジケータに表示されている文字や図形を押圧操作することによって、電源のオン,オフ操作やチャンネル等の切り替え操作を行なうことができ、これによって、機器筐体の前面や側面に電源やチャンネル等を操作するための入出力スイッチやつまみ等を不要にし、映像機器の外観デザインを向上できるようにした表示操作装置及び薄型映像表示装置生装置を得ることを目的とする。
【課題を解決するための手段】
【００１０】
上記の課題を解決し、本発明の目的を達成するため、本発明による請求項１に記載の表示操作装置は、インジケータパネルの表面に感圧シートからなるインジケータ操作部が貼付けられ、インジケータ操作部の所定部位を押圧することで、その部位の電位が検出され制御部に信号出力されてインジケータ表示部の切り替え操作が行われることを特徴とする。
【００１１】
また、本発明による請求項７に記載の薄型映像表示装置は、光源からの光により文字や図形からなる表示部が照光表示されるインジケータを有し、インジケータの表面に感圧シートが貼付けられ、感圧シートの所定部位を押圧操作することで、その部位の電位が検出され制御部に信号出力され表示部の切り替え操作が行われることを特徴とする。
【発明の効果】
【００１２】
本発明の表示操作装置及び薄型映像表示装置によれば、インジケータの表示部を押圧操作して電源のオン,オフやチャンネル等の切替えの機能を持たせることができ、これによって、機器筐体の前面や側面に電源やチャンネル等を操作するための入出力スイッチやつまみ等を不要にし、映像機器の外観のデザイン性を向上することができる。
【００１３】
また、インジケータの表示部に蛍光塗料を施すことで、光源からの光によって表示部が発光し、暗い部屋でもインジケータの視認性が向上し、表示部の操作位置がさらに判りを易くなる。
【発明を実施するための最良の形態】
【００１４】
以下、本発明による表示操作装置及び薄型映像表示装置の最良の実施の形態を薄型液晶テレビジョン（以下、液晶ＴＶという）に適用した場合を例にとって図面を参照して説明する。
【００１５】
図１は液晶ＴＶの全体の正面図、図２は液晶ＴＶのインジケータ部分の拡大正面図、図３は図２のＡ−Ａ線横断面図、図４は同じく図２のＢ−Ｂ線横断面図、図５はインジケータ部分及びインジケータ操作入力部の分離状態の斜視図である。
【００１６】
液晶ＴＶのパネル前面の全体を符号１で示す。この液晶ＴＶ１の中央部には映像表示画面２があり、映像表示画面２の外側の不透明部分２ａの外周の一部(図１において右外周部の縦向きの部分)に液晶ＴＶの視聴状態を表示するインジケータ３と、インジケータを兼ねる操作部４が配置されている（以下、操作部４をインジケータ操作入力部４という）。
【００１７】
ここで、インジケータ３は本例の実施の形態では、ＰＯＷＥＲ（電源）の文字と図形からなるパワーインジケータ５と、ＴＩＭＥＲ（タイマー）の文字と図形からなるタイマーインジケータ６が表示されている。
【００１８】
また、インジケータ操作入力部４は本例の実施の形態では、ＶＯＬ（ボリューム）の文字とボリュームアップ/ダウンの記号からなるボリューム操作入力部７と、ＣＨ（チャンネル）の文字とチャンネルアップ/ダウンの記号からなるチャンネル操作入力部８と、ＩＮＰＵＴ（インプット）の文字とインプットアップの記号からなるインプット操作入力部９が表示されている。インジケータ操作入力部４は、ボリューム操作入力部７やチャンネル操作入力部８等を押圧操作することによって視聴中の液晶ＴＶの切り替え操作が可能となる。このインジケータ操作入力部４の詳細は後述する。
【００１９】
インジケータ３であるパワーインジケータ５及びタイマーインジケータ６は、素通しの透明部材からなるインジケータパネル１０の表面に文字及び図形を印刷あるいは刻印表示されているものである。このインジケータ３は部屋を暗くして液晶ＴＶを視聴することも考慮して、図３に示すように透明部材からなるインジケータパネル１０の側面にＬＥＤ（発光ダイオード）等の光源１１を配置し、光源１１からの光をインジケータパネル１０内に透過させ、パネル１０に例えば楔状に凹面加工した斜面１０ａに直角に反射拡散した光によりインジケータ３を照光して視認性が高まるようにしている。なお、光源１１は、映像表示画面２の外側の斜線で示した不透明部分２ａの裏面側に配置されているので、外観から見えることはない。
【００２０】
さて、インジケータ操作入力部４は、透明部材からなるインジケータパネル１０の表面に一般にタッチパネルと呼ばれている感圧シート１２を貼り付け、この感圧シート１２の所定エリアを指先で押圧することにより、当該エリアに対応する部位の信号が出力されるものである。
【００２１】
感圧シート１２には、指入力とペン入力とがある。本発明に使用される指入力には、抵抗膜方式や静電容量方式等がある。また、抵抗膜方式にはアナログ抵抗膜方式とマトリクス型抵抗膜方式とがある。ここでは、感圧シート１２は一般的なマトリクス型抵抗膜方式を例にとって説明する。
【００２２】
図６にマトリクス型抵抗膜方式の検出原理の概略図と信号処理のブロック図を示す。
抵抗膜は上下二枚の抵抗フィルム１３,１４からなり、上部の抵抗フィルム１３にはＸ方向に抵抗１３ａとその両端に電極Ｖccが設けられ、下部の抵抗フィルム１４にはＹ方向に抵抗１４ａとその両端に電極Ｖccが設けられている。ここで、Ｘ座標の検出は、上部の電極に電圧を印加するとＩＴＯ（インジウム錫酸化物）の抵抗によってＸ方向に電位勾配ができ、接触点の電位を下部のフィルム１４側を通じて検出すると分圧により、押圧点のＸ座標がわかる。同様にＹ座標の検出は、下部の電極に電圧を印加するとＩＴＯの抵抗によってＹ方向に電位勾配ができ、接触点の電位を上部のフィルム１３側を通じて検出すると分圧により、押圧点のＹ座標がわかる。すなわち、上述した原理からＸ座標とＹ座標の押圧点Ｐは、アナログ信号として配線フィルム１５を介して演算部１６でＸ座標とＹ座標の押圧点の交点が算出され、この後、制御部１７により感圧シート１２の押圧位置に対応したインジケータ操作入力部４の切り替え操作をすることができるものである。
【００２３】
上述した感圧シート１２は、ボリューム操作入力部７の部分と、チャンネル操作入力部８の部分と、インプット操作入力部９の部分のインジケータパネル１０の表面に透明な接着剤によりそれぞれ貼り付けられ、感圧シート１２そのものはインジケータパネル１０と同様に透明部材である。したがって、インジケータ操作入力部４のボリューム操作入力部７やチャンネル操作入力部８、インプット操作入力部９の文字や図形はインジケータパネル１０の表面に印刷等で表示されていても感圧シート１２の外側から透けて見ることができる。なお、インジケータパネル１０の表面に貼り付けられたときの感圧シート１２の配線フィルム１５は、インジケータパネル１０と、その外周側のキャビネット１８との僅かな隙間から液晶ＴＶ１の筐体内へ引き込み図示しない回路基板に接続される。
【００２４】
また、インジケータ操作入力部４の文字や図形はインジケータパネル１０の表面に印刷等で表示される以外、インジケータ操作入力部４の表面や裏面に印刷等により表示することであってもよい。
【００２５】
また、上述したインジケータ操作入力部４の場合も、インジケータ３と同様に部屋を暗くして液晶ＴＶを視聴することも考慮して、図４に示すように透明部材からなるインジケータパネル１０の側面にＬＥＤ（発光ダイオード）等の光源１９を配置し、光源１９からの光をインジケータパネル１０内に透過させ、パネル１０に例えば楔状に凹面加工した斜面１０ｂに直角に反射し拡散した光によりインジケータ操作入力部４を照光して視認性が高まるようにしている。なお、この場合も光源１９は、映像表示画面２の外側の斜線で示した不透明部分２ａの裏面側に配置されているので、外観から見えることはない。
【００２６】
このように構成した表示操作装置及び薄型映像表示装置は、液晶ＴＶを視聴中においては、インジケータ３やインジケータ操作入力部４の文字や図形あるいは記号が視認性よく表示され、液晶ＴＶの視聴状態を明確に認識することができる。特に、インジケータ操作入力部４は、その面自体を感圧シート１２によるスイッチ機能を持たせたことで、従来のような液晶ＴＶ１の筐体側面にボタンスイッチやつまみスイッチの付設を不要にすることができ、これによって、液晶ＴＶの外観デザインを向上させることができる。
【００２７】
また、インジケータ操作入力部４の文字や図形あるいは記号を光らせることができればより視認性を向上できる。この場合の一例として、インジケータ操作入力部４の文字や図形あるいは記号自体が蛍光塗料を用いて印刷され、光源として紫外線ＬＥＤ（ブラックライト）で蛍光塗料の文字や図形を発光させることにより、インジケータ操作入力部４の文字や図形あるいは記号の位置がわかり易くなり操作性がよくなる。また、文字や図形あるいは記号が光ることにより視覚的な効果も得ることができる。
【００２８】
この場合、蛍光塗料で印刷されるインジケータ操作入力部４の文字や図形あるいは記号は、感圧シート１２の裏面であってもよく、また、図４とは異なり図７に示すようにインジケータパネル１０の裏面（背面側）に印刷するようにしてもよい。また、図４の構成において楔状に凹面加工した斜面１０ｂにも蛍光塗料を施すようにしてもよい。しかも、蛍光塗料は各々のインジケータ操作入力部４に応じて蛍光色を変えるようにしてもよい。このようにすることによって、インジケータ操作入力部４の文字や図形あるいは記号が立体的に浮かび上がり、さらに、蛍光色を変えることで視覚的なイメージアップとなる。
【００２９】
また、蛍光塗料で表示した文字や図形あるいは記号が透明なインジケータパネル１０内で光ることにより視覚的な効果も得ることができる。この場合、インジケータパネル１０
も蛍光塗料自体が発光しているため、従来のような光軸からずれた位置からでは光が見えないといった指向性の問題も解消することができる。
【００３０】
また、紫外線ＬＥＤは、インジケータパネル１０の端面からパネル内を透過し、インジケータ操作入力部４の文字や図形あるいは記号を照光した場合について説明したが、紫外線ＬＥＤをインジケータパネル１０の背面側に配置し、ＬＥＤからの光をパネル１０の厚み方向に横断するようにしてインジケータ操作入力部４の文字や図形あるいは記号を照光するようにしてもよい。このようにすることで、パネル１０内での紫外線の吸収ロスを無くすことができ、小電力で文字や図形等の照光が可能となる。
【００３１】
また、紫外線ＬＥＤ等の光源は、明るさを感知するセンサーを備え、部屋が明るくなったときに光源を自動的にオフしてインジケータ操作入力部４の文字や図形の照光を止め、部屋が暗くなったときに光源を自動的にオンにしてインジケータ操作入力部４の文字や図形の照光を行うようにすることも可能である。また、光源のオン,オフは手動で行うようにしてもよい。
【００３２】
本発明は、上述しかつ図面に示した実施の形態に限定されるものでなく、その要旨を逸脱しない範囲内で種々の変形実施が可能である。
【００３３】
本発明の実施の形態では、ボリューム操作入力部７やチャンネル操作入力部８、インプット操作入力部９のインジケータ表示面を押圧することで切り替え操作できるようにしたが、例えば、インジケータ３のパワーインジケータ５の表面に上述したものと同様の感圧シートを貼り付け、感圧シートを押圧することでパワー（電源）をオン,オフできるようにすることも可能である。
【００３４】
また、本発明の実施の形態では、液晶ＴＶの表示操作装置について説明したが、その他、プラズマＴＶや通常の陰極線管ＴＶ等にあるような文字や図形表示されるインジケータにも広く適用可能である。
【図面の簡単な説明】
【００３５】
【図１】本発明の表示操作装置を適用した液晶ＴＶの全体の正面図である。
【図２】同じく液晶ＴＶのインジケータ部分の拡大正面図である。
【図３】同じく図２のＡ−Ａ線横断面図である。
【図４】同じく図２のＡ−Ａ線横断面図である。
【図５】インジケータ部分及びインジケータ操作入力部の分離状態の斜視図である。
【図６】マトリクス型抵抗膜方式の検出原理の概略図と信号処理のブロック図である。
【図７】インジケータ操作入力部の別の実施の形態の断面図である。
【符号の説明】
【００３６】
１…液晶ＴＶ、２…映像表示画面、３…インジケータ、４…インジケータ操作入力部、５…パワーインジケータ、６…タイマーインジケータ、７…ボリュームインジケータ、８…チャンネル操作入力部、９…インプット操作入力部、１０…インジケータパネル、１１…光源（紫外線ＬＥＤ）、１２…感圧シート、１３,１４…感圧シートの抵抗フィルム、１５…配線フィルム
【図１】
2005267897.tif 000003
【図２】
2005267897.tif 000004
【図３】
2005267897.tif 000005
【図４】
2005267897.tif 000006
【図５】
2005267897.tif 000007
【図６】
2005267897.tif 000008
【図７】
2005267897.tif 000009